(57)【特許請求の範囲】
【請求項１】
上下方向に平行な軸の周りを巻回するようにエッジワイズ巻きされたコイルと、ケースと、ホルダーとを備えたコイル部品であって、
前記コイルは、コイル本体と、２つのコイル端部とを備えており、
前記コイル本体は、前記上下方向と直交する水平面において、前記上下方向と直交する幅方向に長く延びるトラック形状を有しており、
前記コイル端部の夫々は、前記上下方向及び前記幅方向の双方と直交する前後方向における前記コイル本体の前側の部位から前方に向かって突出しており、
前記コイル端部の夫々における前記幅方向外側の端に位置する外側端は、前記幅方向において、前記コイル本体の前記幅方向外側の両端から離れており且つ前記両端の間に位置しており、
前記ケースは、収容部と、側壁部と、固定部とを有しており、
前記収容部は、前記コイルを収容しており、
前記側壁部は、前記収容部を前記水平面において囲むように設けられており、
前記固定部は、前記側壁部の前記前後方向における両端を夫々含み且つ前記幅方向に沿って延びる２つの辺と、前記側壁部の前記幅方向における両端を夫々含み且つ前記前後方向に沿って延びる２つの辺とからなる仮想的な四角形の内側に位置しており、
前記ホルダーには、２つの孔と、凹みとが形成されており、
前記コイル端部は、前記孔を夫々通過しており、
前記コイル端部の一方は、前記孔の一方を通過した後、折り曲げられて前記凹み内部を上方に延びている
コイル部品。
【請求項２】
請求項１記載のコイル部品であって、
前記コイル本体は、２つの突出部と、２つの連結部とを有しており、
前記突出部の夫々は、前記前後方向における両端の間を、前記幅方向の外側に突出した弧を描きつつ延びており、
２つの前記連結部は、２つの前記突出部を前記幅方向に連結しており、
２つの前記コイル端部は、２つの前記突出部と夫々対応しており、
前記コイル端部の前記外側端は、対応する前記突出部と接続点において繋がっている
コイル部品。
【請求項３】
請求項２記載のコイル部品であって、
前記コイル本体は、２つの前記突出部として半円形状を夫々有する２つの半円部を有しており、且つ、２つの前記連結部として直線状に延びる２つの直線部を有している
コイル部品。
【請求項４】
請求項２記載のコイル部品であって、
前記コイル本体は、２つの前記突出部として円弧形状を夫々有する２つの円弧部を有しており、且つ、２つの前記連結部として直線状に延びる２つの直線部を有している
コイル部品。
【請求項５】
請求項２記載のコイル部品であって、
前記コイル本体は、２つの前記突出部として円弧形状を夫々有する２つの円弧部を有しており、且つ、２つの前記連結部として前記円弧部よりも大きな曲率半径の円弧形状を夫々有する２つの大円弧部を有している
コイル部品。
【請求項６】
請求項３乃至請求項５のいずれかに記載のコイル部品であって、
前記突出部の夫々において、前記突出部を含む仮想的な円の中心点と前記接続点とを結ぶ仮想的な直線は、前記幅方向に平行な仮想的な直線と１０°以上且つ８０°以内の角度で交差している
コイル部品。
【請求項７】
請求項１乃至請求項６のいずれかに記載のコイル部品であって、
前記コイル端部の少なくとも一方は、２つの前記コイル端部が前記上下方向において部分的に同じ位置に位置するように折り曲げられている
コイル部品。
【発明の詳細な説明】
【技術分野】
【０００１】
本発明は、エッジワイズ巻きされたコイルに関する。
【背景技術】
【０００２】
このタイプのコイルは、例えば、特許文献１に開示されている。
【０００３】
特許文献１に開示されたコイルユニット（コイル部品）は、コイルと、ケースとを備えている。コイルは、上下方向に平行な軸の周りを巻回するようにエッジワイズ巻きされており、上下方向と直交する水平面においてトラック形状を有している。コイルの両端は、折り曲げられて上方に延びている。ケースは、概ねコイルのトラック形状と対応する形状を有している。コイルは、ケースの内部に収容されている。
【先行技術文献】
【特許文献】
【０００４】
【特許文献１】特開２０１０−２４５１５４号公報
【発明の概要】
【発明が解決しようとする課題】
【０００５】
特許文献１のコイル部品を外部ユニットに搭載する場合、外部ユニットに固定するための部位をケースに設ける必要がある。例えば、ケースの下端に、ネジ孔が形成されたフランジ（底部）を設ける必要がある。この場合、ネジ孔は、水平面においてケースの外側に位置する。これにより、水平面におけるコイル部品のサイズが大きくなる。
【０００６】
そこで、本発明は、エッジワイズ巻きされたコイルであって、コイルを収容するケースのサイズの増大を防止できるコイルを提供することを目的とする。
【課題を解決するための手段】
【０００７】
本発明によれば、第１のコイルとして、
上下方向に平行な軸の周りを巻回するようにエッジワイズ巻きされたコイルであって、
コイル本体と、２つのコイル端部とを備えており、
前記コイル本体は、前記上下方向と直交する水平面において、前記上下方向と直交する幅方向に長く延びるトラック形状を有しており、
前記コイル端部の夫々は、前記上下方向及び前記幅方向の双方と直交する前後方向における前記コイル本体の前側の部位から前方に向かって突出しており、
前記コイル端部の夫々における前記幅方向外側の端に位置する外側端は、前記幅方向において、前記コイル本体の前記幅方向外側の両端から離れており且つ前記両端の間に位置している
コイルが得られる。
【０００８】
また、本発明によれば、第２のコイルとして、第１のコイルであって、
前記コイル本体は、２つの突出部と、２つの連結部とを有しており、
前記突出部の夫々は、前記前後方向における両端の間を、前記幅方向の外側に突出した弧を描きつつ延びており、
２つの前記連結部は、２つの前記突出部を前記幅方向に連結しており、
２つの前記コイル端部は、２つの前記突出部と夫々対応しており、
前記コイル端部の前記外側端は、対応する前記突出部と接続点において繋がっている
コイルが得られる。
【０００９】
また、本発明によれば、第３のコイルとして、第２のコイルであって、
前記コイル本体は、２つの前記突出部として半円形状を夫々有する２つの半円部を有しており、且つ、２つの前記連結部として直線状に延びる２つの直線部を有している
コイルが得られる。
【００１０】
また、本発明によれば、第４のコイルとして、第２のコイルであって、
前記コイル本体は、２つの前記突出部として円弧形状を夫々有する２つの円弧部を有しており、且つ、２つの前記連結部として直線状に延びる２つの直線部を有している
コイルが得られる。
【００１１】
また、本発明によれば、第５のコイルとして、第２のコイルであって、
前記コイル本体は、２つの前記突出部として円弧形状を夫々有する２つの円弧部を有しており、且つ、２つの前記連結部として前記円弧部よりも大きな曲率半径の円弧形状を夫々有する２つの大円弧部を有している
コイルが得られる。
【００１２】
また、本発明によれば、第６のコイルとして、第３乃至第５のいずれかのコイルであって、
前記突出部の夫々において、前記突出部を含む仮想的な円の中心点と前記接続点とを結ぶ仮想的な直線は、前記幅方向に平行な仮想的な直線と１０°以上且つ８０°以内の角度で交差している
コイルが得られる。
【００１３】
また、本発明によれば、第７のコイルとして、第１乃至第６のいずれかのコイルであって、
前記コイル端部の少なくとも一方は、２つの前記コイル端部が前記上下方向において部分的に同じ位置に位置するように折り曲げられている
コイルが得られる。
【００１４】
また、本発明によれば、第１のコイル部品として、第１乃至第７のいずれかのコイルと、ケースとを備えたコイル部品であって、
前記ケースは、収容部と、側壁部と、固定部とを有しており、
前記収容部は、前記コイルを収容しており、
前記側壁部は、前記収容部を前記水平面において囲むように設けられており、
前記固定部は、前記側壁部の前記前後方向における両端を夫々含み且つ前記幅方向に沿って延びる２つの辺と、前記側壁部の前記幅方向における両端を夫々含み且つ前記前後方向に沿って延びる２つの辺とからなる仮想的な四角形の内側に位置している
コイル部品が得られる。
【発明の効果】
【００１５】
本発明によれば、コイル端部の外側端は、幅方向において、コイル本体の幅方向外側の両端から離れており且つ両端の間に位置している。これにより、コイル端部の幅方向外側に空間を備えることができる。コイルをケースに収容する場合、この空間を利用してケースに固定部を設けることができる。これにより、ケースのサイズの増大を防止できる。
【図面の簡単な説明】
【００１６】
【図１】本発明の実施の形態によるコイルを示す斜視図である。
【図２】図１のコイルを示す平面図である。コイルの各部位の境界を１点鎖線で描画している。
【図３】図１のコイルをケースに収容された状態で示す斜視図である。
【図４】図３のコイル及びケースを示す平面図である。ケースの外縁を規定する仮想的な四角形の輪郭と、ケースの固定部に挿入されるボルトの輪郭とを破線で描画している。また、従来のコイルの半円部及びコイル端部の輪郭を１点鎖線で描画している。
【図５】図１のコイルと共に、上キャップ、下キャップ及びホルダーを示す斜視図である。
【図６】図５のコイル、上キャップ、下キャップ及びホルダーを組み合わせた第１中間部品と、端子台とを示す斜視図である。上方に折り曲げる前のコイル端部の輪郭を破線で描画している。
【図７】図６の第１中間部品及び端子台を組み合わせた第２中間部品を示す斜視図である。
【図８】図７の第２中間部品及び図３のケースを組み合わせた第３中間部品を示す斜視図である。
【図９】図８の第３中間部品に上蓋を取り付けたコイル部品を示す斜視図である。
【図１０】図２のコイルの変形例を示す平面図である。コイルの各部位の境界を１点鎖線で描画している。図２のコイルの半円部の輪郭の一部を破線で描画している。
【図１１】図１０のコイルの変形例を示す平面図である。コイルの各部位の境界を１点鎖線で描画している。図１０のコイルの直線部の輪郭の一部を破線で描画している。
【発明を実施するための形態】
【００１７】
以降の説明において、「上」「下」等の位置を示す用語は、絶対的な位置を示すものではなく、図面における相対的な位置を示すに過ぎない。
【００１８】
図１を参照すると、本発明の実施の形態によるコイル１０は、平角線を螺旋状に巻回することにより形成されている。詳しくは、平角線は、上下方向（Ｚ方向）に平行な軸の周りを巻回するようにエッジワイズ巻きされている。本実施の形態による平角線は、絶縁被覆（図示せず）によって覆われた銅線である。但し、平角線は、絶縁被覆によって覆われた導電体である限り、銅線でなくてもよい。
【００１９】
図３及び図４を参照すると、コイル１０は、後述する作製工程において他の部品（図５及び図６参照、図３及び図４において図示せず）と組み合わされた後、金属製のケース６００の内部に収容される。ケース６００は、収容部６１０と、側壁部６２０と、底部６３０とを有している。収容部６１０は、コイル１０を収容するための空間であり、側壁部６２０によって囲まれている。詳しくは、側壁部６２０は、収容部６１０をＸＹ平面（水平面）において囲むように設けられている。
【００２０】
図４に示されるように、側壁部６２０は、ＸＹ平面において概ね四角形状を有している。また、底部６３０も、ＸＹ平面において概ね四角形状を有している。詳しくは、ＸＹ平面における側壁部６２０の輪郭により、側壁部６２０のＹ方向における両辺（両端）を夫々含み且つＸ方向に沿って延びる２つの辺と、側壁部６２０のＸ方向における両辺（両端）を夫々含み且つＹ方向に沿って延びる２つの辺とからなる仮想的な四角形ＲＣＴが定義される。底部６３０の輪郭は、円弧状の４隅を除き、この仮想的な四角形ＲＣＴ上に位置している。これにより、ＸＹ平面において、ケース６００全体が、四角形ＲＣＴの内側に位置している。換言すれば、四角形ＲＣＴは、ＸＹ平面において、ケース６００の外縁を規定している。
【００２１】
図３及び図４に示されるように、側壁部６２０は、前後方向（Ｙ方向）における前側（＋Ｙ側）において切り欠かれており、これにより２つの係合部６２２が形成されている。本実施の形態による係合部６２２は、側壁部６２０の端部であり、Ｚ方向に延びている。側壁部６２０は、４隅において収容部６１０に向かって凹んでいる。これにより、底部６３０の４隅には、側壁部６２０によって囲まれていない部位（固定用部位）が形成されている。ケース６００は、４つの固定部６３２を有している。固定部６３２は、底部６３０の４隅の固定用部位に夫々設けられている。従って、固定部６３２は、四角形ＲＣＴの内側に位置している。
【００２２】
本実施の形態による固定部６３２は、底部６３０をＺ方向に貫通する孔である。ケース６００を外部ユニット（図示せず）に取り付ける際、ケース６００は、固定部６３２に夫々挿入したボルト６９０を使用して外部ユニットに固定できる。但し、本発明は、これに限られない。固定部を使用してケース６００を外部ユニットに取り付け可能な限り、固定部は孔でなくてもよい。
【００２３】
以下、本実施の形態によるコイル１０について詳しく説明する。
【００２４】
図１及び図２に示されるように、コイル１０は、コイル本体１１０と、２つのコイル端部１３０とを備えている。コイル端部１３０の一方は、平角線の一端から形成されたコイル端部１３０Ｒであり、コイル端部１３０の他方は、平角線の他端から形成されたコイル端部１３０Ｌである。
【００２５】
図２に示されるように、コイル本体１１０は、ＸＹ平面（水平面）において、幅方向（Ｘ方向）に長く延びるトラック形状（オーバル形状）を有している。特に、本実施の形態において、コイル本体１１０は、２つの直線部（連結部）１１２と、２つの半円部（突出部）１１４とを有している。直線部１１２の夫々は、Ｘ方向に沿って直線状に延びている。直線部１１２の一方は、直線部１１２の他方を前後方向（Ｙ方向）に沿って平行移動させた位置にある。半円部１１４の夫々は、対応する中心点１２２を円の中心とする半円形状を有している。２つの直線部１１２は、２つの半円部１１４をＸ方向に連結している。
【００２６】
図１及び図２に示されるように、コイル端部１３０の夫々は、前後方向（Ｙ方向）におけるコイル本体１１０の前側（＋Ｙ側）の部位から前方に向かって（＋Ｙ方向に）突出している。詳しくは、コイル端部１３０の夫々は、曲げ部１４２と、直線部１４４とを有している。曲げ部１４２は、平角線の端部を、絶縁被膜を破壊しないようにしつつ、前方に向かってコイル本体１１０から離れるように曲げることで形成されており、概ね円弧形状を有している。直線部１４４は、曲げ部１４２から前方に直線的に延びている。
【００２７】
コイル端部１３０Ｒの曲げ部１４２とコイル端部１３０Ｌの曲げ部１４２とは、ＹＺ平面について鏡対称に形成されている。一方、コイル端部１３０Ｒの直線部１４４は、コイル端部１３０Ｌの直線部１４４よりも長い。直線部１４４の夫々には、孔１４８が形成されている。孔１４８は、直線部１４４の前端（＋Ｙ側の端）近傍に位置しており、直線部１４４をＺ方向に貫通している。直線部１４４の絶縁被覆（図示せず）は、孔１４８付近において剥がされており導体が露出している。
【００２８】
図２に示されるように、コイル端部１３０の夫々は、外側端１３２と内側端１３４とを有している。コイル端部１３０の夫々において、外側端１３２は、コイル端部１３０のＸ方向外側の端に位置しており、内側端１３４は、コイル端部１３０のＸ方向内側の端に位置している。コイル端部１３０（曲げ部１４２）は、外側端１３２と内側端１３４とにおいてコイル本体１１０と繋がっている。
【００２９】
外側端１３２は、Ｘ方向において、コイル本体１１０のＸ方向外側の両端１１８から離れており、且つ、Ｘ方向外側の両端１１８の間に位置している。特に、本実施の形態によれば、２つのコイル端部１３０（曲げ部１４２）は、２つの半円部１１４と夫々対応している。より具体的には、外側端１３２は、対応する半円部１１４と接続点１２４において繋がっている。一方、内側端１３４は、前側の直線部１１２に対応している。これにより、曲げ部１４２は、対応する半円部１１４と前側の直線部１１２との間の仮想的な境界線を跨ぐように形成されている。
【００３０】
詳しくは、半円部１１４の夫々において、半円部１１４を含む仮想的な円の中心点１２２と接続点１２４とを結ぶ仮想的な直線ＶＬは、Ｘ方向に平行な仮想的な直線（中心線ＣＬ）と所定の角度（θ）で交差している。換言すれば、接続点１２４を通過する接線である第１接線ＴＬ１は、端１１８を通過する接線である第２接線ＴＬ２と所定の角度（θ）で交差している。この所定の角度を大きくすることで、第２接線ＴＬ２と接続点１２４との間の距離（Ｄ１）や、第２接線ＴＬ２と直線部１１２との間の距離（Ｄ２）を大きくできる。
【００３１】
図２乃至図４を参照すると、従来のケース（図示せず）において、固定部は、ケースの側壁部によって規定される四角形ＲＣＴの外側に設けられている。このため、ＸＹ平面におけるケースのサイズが大きくなる。一方、本発明によれば、距離（Ｄ１）や距離（Ｄ２）を十分に大きくすることで、コイル端部１３０のＸ方向外側に空間を備えることができる。コイル１０をケース６００に収容する場合、この空間を利用して四角形ＲＣＴの内側に固定部６３２を設けることができる。これにより、ケース６００のサイズの増大を防止できる。
【００３２】
更に、従来のコイル（図４の１点鎖線参照）においては、＋Ｘ側のコイル端部を上方に延ばすために、まず前方に延ばす必要がある。このため、従来のケース（図示せず）においては、側壁部の４隅のうちの一つをコイル本体と対応する形状に形成し難い。より具体的には、＋Ｘ側のコイル端部に対応する隅は、角状に形成される。これにより、磁気特性に殆ど寄与しない角部が形成される。一方、本発明によれば、側壁部６２０の４隅の全てを収容部６１０に向けて凹ませることができる。
【００３３】
以上の説明から理解されるように、本実施の形態によれば、コイル１０とボルト６９０との間を電気的に確実に絶縁しつつ、四角形ＲＣＴの内側に位置する固定部６３２及びボルト６９０を使用してケース６００を外部ユニット（図示せず）に固定できる。
【００３４】
図４を参照すると、従来のコイル（図４の１点鎖線参照）においては、コイル端部がコイル本体のＸ方向における両端から前方に延びた後、上方に折り曲げられている。コイル端部を、このように形成する場合、特に＋Ｘ側のコイル端部は、ボルト６９０に接近し易い。このため、従来のコイルをケース６００に収容する場合、コイル全体の＋Ｘ側の端を、収容部６１０の中心に近づける必要がある。また、コイルを収容部６１０内にバランス良く配置するため、コイル全体の−Ｘ側の端も、同様に収容部６１０の中心に近づける必要がある。
【００３５】
これにより、従来のコイル（図４の１点鎖線参照）においては、コイル本体の幅（Ｘ方向におけるサイズ）が、ケース６００の幅に比べて、かなり小さくなる。換言すれば、ＸＹ平面において、コイル本体によって囲まれた内部領域１５０Ｘの面積（実効断面積）が、ケース６００の面積に比べて、かなり小さい。このため、十分な磁気特性を得にくい。一方、本発明によれば、コイル本体１１０の幅を大きくでき、コイル本体１１０によって囲まれた内部領域１５０の面積（実効断面積）も大きくできる。これにより、磁気特性及び熱特性を向上できる。
【００３６】
図２を参照すると、距離（Ｄ１）や距離（Ｄ２）を大きくするという観点からは、所定の角度（θ）は、できるだけ９０°に近いほうがよい。但し、所定の角度（θ）が９０°に近づくと、コイル１０の絶縁被膜を破壊しないように曲げ加工することが難しくなる。このため、所定の角度（θ）は、８０°以下であることが好ましい。また、所定の角度（θ）が小さすぎると、距離（Ｄ２）を大きくできない。このため、所定の角度（θ）は、１０°以上であることが好ましい。即ち、所定の角度（θ）は、１０°以上且つ８０°以下であることが好ましい。
【００３７】
以下、以上のように構成されたコイル１０を使用したコイル部品について説明する。
【００３８】
図５及び図６を参照すると、コイル１０は、夫々絶縁体からなる上キャップ２００、下キャップ３００及びホルダー４００と組み合わされて、第１中間部品（コイル部品）２０が作製される。
【００３９】
上キャップ２００は、コイル１０の上側（＋Ｚ側）に、接着剤等を使用して固定される。下キャップ３００は、コイル１０の下側（−Ｚ側）に、接着剤等を使用して固定される。ホルダー４００は、接続部４１０と、保持部４２０とを有している。接続部４１０は、コイル１０の前側に、接着剤等を使用して固定される。
【００４０】
ホルダー４００の保持部４２０には、２つの孔４２２，４２４と、凹み４２６とが形成されている。孔４２２，４２４は、コイル１０のコイル端部１３０Ｌ，１３０Ｒと夫々対応する位置に設けられており、保持部４２０をＹ方向に貫通している。凹み４２６は、孔４２４の周辺に設けられている。凹み４２６は、保持部４２０の前面（＋Ｙ側の面）から後方に（−Ｙ方向に）凹んでいる。更に、保持部４２０には、２つの係合溝４２８が形成されている。係合溝４２８は、保持部４２０のＸ方向における両側面に設けられている。係合溝４２８の夫々は、Ｘ方向内側に凹みつつＺ方向に延びている。
【００４１】
図６に示されるように、コイル部品２０において、コイル端部１３０Ｌは、孔４２２を通過して前方に延びている。一方、コイル端部１３０Ｒは、孔４２４を通過した後、折り曲げられて凹み４２６内部を上方に延びている。コイル端部１３０Ｒの上端は更に折り曲げられており、これにより直線部１４６が形成されている。直線部１４６は、Ｚ方向においてコイル端部１３０Ｌと同じ位置にあり、前方に延びている。孔４２２，４２４は、コイル端部１３０Ｌ，１３０Ｒを通過させた後、絶縁性のシール剤等によって塞がれる。
【００４２】
図６及び図７を参照すると、コイル部品２０は、絶縁体からなる端子台５００と組み合わされて、第２中間部品（コイル部品）５０が作製される。
【００４３】
端子台５００には、２つの孔５１０が形成されている。孔５１０の夫々には、金属製のナット５２０が埋め込まれている。コイル部品２０は、コイル端部１３０Ｒ，１３０Ｌの孔１４８が端子台５００の孔５１０と夫々重なるように配置される。この状態で、孔１４８は、ボルト５９０を使用してナット５２０にネジ止めされ、コイル部品５０が作製される。
【００４４】
本実施の形態のコイル端部１３０Ｒは、直線部１４６がコイル端部１３０Ｌの直線部１４４とＺ方向において同じ位置に位置するように折り曲げられている。これにより、コイル１０を端子台５００に固定できる。但し、本発明はこれに限られない。例えば、コイル端部１３０Ｌを前方に長く延ばして下方に折り曲げてもよい。また、コイル端部１３０Ｒを上方に折り曲げ、且つ、コイル端部１３０Ｌを下方に折り曲げてもよい。換言すれば、コイル端部１３０Ｒ，１３０Ｌの少なくとも一方は、２つのコイル端部１３０Ｒ，１３０ＬがＺ方向において部分的に同じ位置に位置するように折り曲げられていればよい。また、端子台５００を使用しない場合、コイル端部１３０Ｒ，１３０Ｌのいずれも折り曲げなくてもよい。
【００４５】
図７及び図８を参照すると、コイル部品５０の大部分は、ケース６００に収容されて、第３中間部品（コイル部品）６０が作製される。
【００４６】
換言すれば、コイル部品６０は、コイル１０と、ケース６００とを備えている。収容部６１０は、コイル１０を収容している。コイル部品５０において、ホルダー４００の係合溝４２８は、ケース６００の係合部６２２と夫々係合しており、これにより、ホルダー４００はケース６００に取り付けられている。ホルダー４００とケース６００との間の隙間は、例えば絶縁性のシール剤によって塞がれる。これにより、収容部６１０は、ＸＹ平面において隙間なく囲まれる。
【００４７】
コイル１０を収容した収容部６１０には、磁性体（図示せず）のスラリーが注入され、これによりコア（図示せず）が形成される。但し、コアを作製する方法は、このような磁性コア注型方式に限られない。例えば、コアは、圧粉コア組立方式によって作製してもよい。
【００４８】
図８及び図９を参照すると、コア（図示せず）が形成されたコイル部品６０には、上蓋７００が例えば接着剤により固定され、コイル部品７０が作製される。
【００４９】
図９を参照すると、本実施の形態によれば、コイル１０（図１参照）のコイル端部１３０は、コイル１０の上方や下方に延びていない。このため、コイル部品７０の高さ（Ｚ方向におけるサイズ）を小さくできる。本発明によれば、必要な磁気特性を維持しつつ、コイル部品の実装面積及び高さを小さくできる。換言すれば、本発明によれば、優れた磁気特性を有するコイル部品の小型化が可能である。
【００５０】
本発明によるコイル部品やコイルは、例えば以下に説明するように、様々に変形可能である。
【００５１】
図２を参照すると、本実施の形態によるコイル本体１１０は、典型的なレーストラック形状である長円形状を有している。詳しくは、コイル本体１１０は、２つの突出部として半円形状を夫々有する２つの半円部１１４を有しており、且つ、２つの連結部として直線状に延びる２つの直線部１１２を有している。
【００５２】
但し、本発明によるコイル本体は、典型的なレーストラック形状以外のトラック形状（オーバル形状）を有していてもよい。例えば、コイル本体１１０は、トラック形状として楕円形状や卵形状を有していてもよい。詳しくは、突出部の夫々は、全体としてＸ方向の外側に突出した形状を有している限り、半円形状を有していなくてもよい。また、連結部の夫々は、２つの突出部をＸ方向に連結している限り、直線状に延びていなくてもよい。
【００５３】
以下、コイル本体（コイル）の具体的な変形例について説明する。
【００５４】
図１０に示されるように、変形例によるコイル１０Ａは、コイル本体１１０（図２参照）と少し異なるコイル本体１１０Ａを備えている一方、コイル本体１１０と同じコイル端部１３０を備えており、コイル１０と同様な効果を奏する。
【００５５】
コイル本体１１０Ａは、２つの突出部として円弧形状を夫々有する２つの円弧部（突出部）１１４Ａを有しており、且つ、２つの連結部としてＸ方向に沿って直線状に延びる２つの直線部（連結部）１１２Ａを有している。円弧部１１４Ａの夫々は、半円部１１４と同様に、対応する中心点１２２を中心とする円の一部である。但し、円弧部１１４Ａの中心角は１８０°よりも小さい。換言すれば、円弧部１１４Ａは、中心点１２２を円の中心とする半円の一部である。２つの直線部１１２Ａは、２つの円弧部１１４ＡをＸ方向に連結している。直線部１１２（図２参照）と同様に、直線部１１２Ａの一方は、直線部１１２Ａの他方をＹ方向に沿って平行移動させた位置にある。但し、直線部１１２Ａの長さ（Ｘ方向におけるサイズ）は、直線部１１２の長さよりも少し長い。
【００５６】
図１１に示されるように、他の変形例によるコイル１０Ｂは、コイル本体１１０Ａ（図１０参照）と少し異なるコイル本体１１０Ｂを備えている一方、コイル本体１１０Ａと同じコイル端部１３０を備えており、コイル１０Ａと同様な効果を奏する。
【００５７】
コイル本体１１０Ｂは、２つの突出部としてコイル本体１１０Ａ（図１０参照）と同じく円弧形状を夫々有する２つの円弧部１１４Ａを有しており、且つ、２つの連結部として、直線部１１２Ａに代えて、円弧形状を夫々有する２つの大円弧部（連結部）１１２Ｂを有している。大円弧部１１２Ｂの夫々は、円弧部１１４Ａと同様に、仮想的な円の一部であり円弧形状を有している。但し、大円弧部１１２Ｂの曲率半径は、円弧部１１４Ａの曲率半径よりも大きい。２つの大円弧部１１２Ｂは、Ｙ方向外側に僅かに突出しつつ、２つの円弧部１１４ＡをＸ方向に連結している。
【００５８】
上述したいずれの変形例においても、コイル本体は、２つの突出部と、２つの連結部とを有しており、突出部の夫々は、Ｙ方向における両端の間を、Ｘ方向の外側に突出した弧を描きつつ延びている。また、２つのコイル端部１３０は、２つの突出部と夫々対応しており、コイル端部１３０の外側端１３２は、対応する突出部と接続点１２４において繋がっている。更に、突出部の夫々において、突出部を含む仮想的な円の中心点と接続点とを結ぶ仮想的な直線は、Ｘ方向に平行な仮想的な直線と１０°以上且つ８０°以内の角度で交差している。但し、本発明は、これに限られない。コイル本体は、更に様々な形状に変形可能である。例えば、突出部及び連結部の夫々は、多少蛇行しつつ延びていてもよい。
【００５９】
本実施の形態によるコイル部品７０は、例えば車載リアクトルである。但し、本発明によるコイルは、リアクトル以外のコイル部品にも適用可能である。
【符号の説明】
【００６０】
１０，１０Ａ，１０Ｂ        コイル
１１０，１１０Ａ，１１０Ｂ  コイル本体
１１２，１１２Ａ            直線部（連結部）
１１２Ｂ                    大円弧部（連結部）
１１４                      半円部（突出部）
１１４Ａ                    円弧部（突出部）
１１８                      端
１２２                      中心点
１２４                      接続点
１３０，１３０Ｒ，１３０Ｌ  コイル端部
１３２                      外側端
１３４                      内側端
１４２                      曲げ部
１４４，１４６              直線部
１４８                      孔
１５０，１５０Ｘ            内部領域
ＣＬ                        中心線
ＶＬ                        直線
ＴＬ１                      第１接線
ＴＬ２                      第２接線
２０                        第１中間部品（コイル部品）
２００                      上キャップ
３００                      下キャップ
４００                      ホルダー
４１０                      接続部
４２０                      保持部
４２２，４２４              孔
４２６                      凹み
４２８                      係合溝
５０                        第２中間部品（コイル部品）
５００                      端子台
５１０                      孔
５２０                      ナット
５９０                      ボルト
６０                        第３中間部品（コイル部品）
６００                      ケース
６１０                      収容部
６２０                      側壁部
６２２                      係合部
６３０                      底部
６３２                      固定部
ＲＣＴ                      四角形
６９０                      ボルト
７０                        コイル部品
７００                      上蓋
【図１】
0006502136.tif 000002
【図２】
0006502136.tif 000003
【図３】
0006502136.tif 000004
【図４】
0006502136.tif 000005
【図５】
0006502136.tif 000006
【図６】
0006502136.tif 000007
【図７】
0006502136.tif 000008
【図８】
0006502136.tif 000009
【図９】
0006502136.tif 000010
【図１０】
0006502136.tif 000011
【図１１】
0006502136.tif 000012